(57)【特許請求の範囲】
【請求項１】
試験対象としての移動体通信端末（１１）が正常に通信動作するか否かを試験する移動体通信端末の試験装置（１）において、
前記移動体通信端末が多重通信を行ったときの少なくとも前記移動体通信端末のアドレスと該移動体通信端末の通信相手を識別する情報とを含む多重通信関連情報を表示部（６）に一覧表示する表示制御部（５）を備えたことを特徴とする移動体通信端末の試験装置。
【請求項２】
前記表示制御部（５）は、前記移動体通信端末（１１）と仮想接続先（１２）との論理的な接続によるサービス毎のパケットデータ通信の従属関係を前記表示部（６）に識別表示することを特徴とする請求項１記載の移動体通信端末の試験装置。
【請求項３】
前記移動体通信端末（１１）からのサービス毎のパケットに含まれる情報に基づいて前記従属関係を決定する表示情報決定部（１３）を備えたことを特徴とする請求項２記載の移動体通信端末の試験装置。
【請求項４】
試験対象としての移動体通信端末（１１）が正常に通信動作するか否かを試験する移動体通信端末の試験方法において、
前記移動体通信端末が多重通信を行ったときの少なくとも前記移動体通信端末のアドレスと該移動体通信端末の通信相手を識別する情報とを含む多重通信関連情報を表示部（６）に一覧表示するステップを含むことを特徴とする移動体通信端末の試験方法。
【請求項５】
前記移動体通信端末（１１）と仮想接続先（１２）との論理的な接続によるサービス毎のパケットデータ通信の従属関係を識別表示するステップを含むことを特徴とする請求項４記載の移動体通信端末の試験方法。
【請求項６】
前記移動体通信端末（１１）からのサービス毎のパケットに含まれる情報に基づいて前記従属関係を決定するステップを含むことを特徴とする請求項５記載の移動体通信端末の試験方法。
【発明の詳細な説明】
【技術分野】
【０００１】
本発明は、新規に開発される携帯電話などの移動体通信端末が正常に通信動作するか否かの通信試験を行う移動体通信端末の試験装置及び試験方法に関する。
【背景技術】
【０００２】
例えば携帯電話などの移動体通信端末を新規に開発する場合には、この移動体通信端末が接続先（通信先）との間で正常に通信動作するか否かを確認するための通信試験が必要になる。
【０００３】
この通信試験を実行する場合には、試験対象となる移動体通信端末を実際の基地局を介して接続先（通信先）に接続することができないため、実際の基地局と同様の機能を有する擬似基地局装置を用いて移動体通信端末の接続先との間の通信動作を確認するようにしている。
【０００４】
この種の擬似基地局装置は、移動体通信端末と接続先（通信先）又は測定器との間に通信回線が形成されるまでの間に、移動体通信端末との間で交わされる通信の手順及び通信の遷移状態、移動体通信端末と接続先（通信先）又は測定器との間に通信回線が形成されてから通信回線が切断され元の状態に至るまでの間に、移動体通信端末と接続先（通信先）又は測定器及び擬似基地局装置との間で交わされる通信の手順及び通信の遷移状態をその都度検出し、表示器にシーケンスとして表示している。例えば、下記特許文献１には、シーケンス状態や接続状態を表示することにより、簡易に移動体通信端末の通信試験を行うことができる擬似基地局装置が開示されている。
【０００５】
このように、試験者は、上述した擬似基地局装置を用いることにより、試験対象の移動体通信端末が一連の通信試験のうち、現在どの通信の手順及び通信の遷移状態にあるかを表示内容から把握できる。その結果、異常発生時における異常原因を短時間で究明することができる。
【０００６】
ところで、携帯電話などに用いられる移動体通信方式は、従来の通信方式であるＧＭＳ（Global System for Mobile Communication）やＷ−ＣＤＭＡ（Wideband Code Division Multiple Access）に対し、次世代のパケット交換通信方式であるＬＴＥ（Long Term Evolution ）が登場してきている。そして、移動体通信では、パケットによるデータ通信が急激に増加している。
【０００７】
パケット通信では通信の多重が可能であり、例えば、Ｗｅｂページの閲覧、メールの送受信、パケット通信による通話（ＶｏＩＰ：Voice over Internet ProtocolあるいはＶｏＬＴＥ：Voice over LTE）などの複数の通信を多重することができる。このため、移動体通信端末がこのような多重通信を正常に行えるか否かを試験するための試験装置が求められている。
【０００８】
そして、上記多重通信の試験を行う場合には、試験のための多重通信の設定内容や試験中の多重通信の状態を把握することが、試験者にとって重要な要素である。
【先行技術文献】
【特許文献】
【０００９】
【特許文献１】特開２０１０−５０５６７号公報
【発明の概要】
【発明が解決しようとする課題】
【００１０】
しかしながら、上述した特許文献１に開示される従来の擬似基地局装置では、試験のための多重通信の設定内容や試験中の多重通信の状態を把握することができなかった。
【００１１】
このため、試験者は、試験のための多重通信の設定内容や試験中の多重通信の状態を把握するべく、シナリオと呼ばれる試験手順を参照したり、試験装置の設定を参照していたが、労力と手間がかかるという課題があった。
【００１２】
そこで、本発明は上記問題点に鑑みてなされたものであって、試験のための多重通信の設定内容や試験中の多重通信の状態を把握できる移動体通信端末の試験装置及び試験方法を提供することを目的としている。
【課題を解決するための手段】
【００１３】
上記目的を達成するため、本発明の請求項１に記載された移動体通信端末の試験装置は、試験対象としての移動体通信端末１１が正常に通信動作するか否かを試験する移動体通信端末の試験装置１において、
前記移動体通信端末が多重通信を行ったときの少なくとも前記移動体通信端末のアドレスと該移動体通信端末の通信相手を識別する情報とを含む多重通信関連情報を表示部６に一覧表示する表示制御部５を備えたことを特徴とする。
【００１４】
請求項２に記載された移動体通信端末の試験装置は、請求項１の移動体通信端末の試験装置において、
前記表示制御部５は、前記移動体通信端末１１と仮想接続先１２との論理的な接続によるサービス毎のパケットデータ通信の従属関係を前記表示部６に識別表示することを特徴とする。
【００１５】
請求項３に記載された移動体通信端末の試験装置は、請求項２の移動体通信端末の試験装置において、
前記移動体通信端末１１からのサービス毎のパケットに含まれる情報に基づいて前記従属関係を決定する表示情報決定部１３を備えたことを特徴とする。
【００１６】
請求項４に記載された移動体通信端末の試験方法は、試験対象としての移動体通信端末１１が正常に通信動作するか否かを試験する移動体通信端末の試験方法において、
前記移動体通信端末が多重通信を行ったときの少なくとも前記移動体通信端末のアドレスと該移動体通信端末の通信相手を識別する情報とを含む多重通信関連情報を表示部６に一覧表示するステップを含むことを特徴とする。
【００１７】
請求項５に記載された移動体通信端末の試験方法は、請求項４の移動体通信端末の試験方法において、
前記移動体通信端末１１と仮想接続先１２との論理的な接続によるサービス毎のパケットデータ通信の従属関係を識別表示するステップを含むことを特徴とする。
【００１８】
請求項６に記載された移動体通信端末の試験方法は、請求項５の移動体通信端末の試験方法において、
前記移動体通信端末１１からのサービス毎のパケットに含まれる情報に基づいて前記従属関係を決定するステップを含むことを特徴とする。
【発明の効果】
【００１９】
本発明によれば、多重通信の設定内容や試験中の多重通信の状態を把握でき、端末の多重通信の試験を容易に行うことができる。
【００２０】
また、多重通信の従属関係を直接示す情報が無い場合であっても、多重通信の従属関係を判断して試験者に識別可能に表示し、多重通信の従属関係を認識した上で端末の多重通信の試験を容易に行うことができる。
【図面の簡単な説明】
【００２１】
【図１】本発明に係る移動体通信端末の試験装置の概略構成を示すブロック図である。
【図２】（ａ）  ＬＴＥにより移動体通信端末が発信する場合の従属関係情報の一例を示す図である。  （ｂ）  ＧＳＭ／Ｗ−ＣＤＭＡにより移動体通信端末が発信する場合の従属関係情報の一例を示す図である。
【図３】本発明に係る移動体通信端末の試験装置及び試験方法による具体的な表示例を示す図である。
【図４】本発明に係る移動体通信端末の試験装置及び試験方法において、試験装置が発信する場合の表示処理手順の一例を示すフローチャートである。
【図５】本発明に係る移動体通信端末の試験装置及び試験方法において、移動体通信端末が発信する場合の表示処理手順の一例を示すフローチャートである。
【図６】本発明に係る移動体通信端末の試験装置及び試験方法において、移動体通信端末が発信する場合の従属関係情報の決定手順の一例を示すフローチャートである。
【発明を実施するための形態】
【００２２】
以下、本発明を実施するための形態について、添付した図面を参照しながら詳細に説明する。尚、この実施の形態によりこの発明が限定されるものではなく、この形態に基づいて当業者などによりなされる実施可能な他の形態、実施例及び運用技術などはすべて本発明の範疇に含まれる。
【００２３】
図１は本発明に係る移動体通信端末の試験装置の概略構成を示すブロック図、図２（ａ）はＬＴＥにより移動体通信端末が発信する場合の従属関係情報の一例を示す図、図２（ｂ）はＧＳＭ／Ｗ−ＣＤＭＡにより移動体通信端末が発信する場合の従属関係情報の一例を示す図、図３は同試験装置及び試験方法による具体的な表示例を示す図、図４は同試験装置及び試験方法において、試験装置が発信する場合の表示処理手順の一例を示すフローチャート、図５は同試験装置及び試験方法において、移動体通信端末が発信する場合の表示処理手順の一例を示すフローチャート、図６は同試験装置及び試験方法において、移動体通信端末が発信する場合の従属関係情報の決定手順の一例を示すフローチャートである。
【００２４】
本発明に係る試験装置及び試験方法は、新規に開発される携帯電話などの移動体通信端末との間で所定の通信規格（例えばＬＴＥ、ＧＳＭ、ＧＳＭ／ＧＰＲＳ、Ｗ−ＣＤＭＡ、ＣＤＭＡ２０００、ＴＤ−ＳＣＤＭＡ、ＷｉＭＡＸ、Ｗｉ−Ｆｉなど）に基づく信号（ＲＦ信号）を送受信することにより基地局を模擬して移動体通信端末の通信動作を試験するものであり、特に、多重通信の従属関係を示す情報を含め、多重通信の設定内容や試験中の多重通信の状態を把握するための表示機能を有している。
【００２５】
本例の試験装置１は、上記表示機能を実現するための構成要素として、図１に示すように、操作部２、送受信部３、擬似基地局制御部４、表示制御部５、表示部６を備えて概略構成される。以下、各構成要素について説明する。
【００２６】
操作部２は、例えば試験装置１の筐体前面に設けられるスイッチやボタンなどの操作パネルで構成される。操作部２は、試験対象となる移動体通信端末（以下、端末と略称する）１１の通信動作試験の開始や停止の指示、表示部６（後述するシーケンス表示部６ａ、接続状態表示部６ｂ、接続先表示部６ｃ、多重通信関連表示部６ｄ）に所望の表示を行うために必要な各種情報の設定を含め、端末１１の通信動作試験に必要な各種設定を選択的に行っている。
【００２７】
送受信部３は、擬似基地局制御部４の制御により、仮想接続先１２からの信号（ＲＦ信号）を試験対象の端末１１に送信し、端末１１から受信した信号（ＲＦ信号）を仮想接続先１２に入力している。
【００２８】
仮想接続先１２は、試験装置１の内部に組み込まれ、擬似基地局制御部４の制御によって端末１１と接続可能な相手先であり、図１に示すように、例えば仮想通話先１２ａ、仮想サーバ１２ｂ、仮想ＴＶ電話１２ｃなどからなる。
【００２９】
擬似基地局制御部４は、所定のシナリオを実行して端末１１の通信動作試験を行うべく、操作部２の操作情報に基づいて送受信部３、表示制御部５、表示部６の各部を統括制御している。
【００３０】
なお、シナリオは、基地局を模擬する試験装置１で予め決められた通信規格（例えばＬＴＥ規格、ＧＳＭ規格、ＧＳＭ／ＧＰＲＳ規格、Ｗ−ＣＤＭＡ規格、ＣＤＭＡ２０００規格、ＴＤ−ＳＣＤＭＡ規格、ＷｉＭＡＸ規格、Ｗｉ−Ｆｉ規格など）に基づく通信シーケンスをシミュレーションするための一連の動作の試験手順を記述したものである。
【００３１】
また、擬似基地局制御部４は、端末１１が多重通信を行ったときに、操作部２からの操作情報（設定情報を含む）や端末１１からの通知情報に基づいて後述する多重通信関連表示部６ｄに表示する各種表示情報を決定する表示情報決定部１３を有している。
【００３２】
さらに説明すると、表示情報決定部１３は、図１に示すように、Ｐｒｉｏｒｉｔｙ決定部１３ａ、Ｓｔａｔｕｓ決定部１３ｂ、ＰＤＮ／ＰＤＰ−Ｔｙｐｅ決定部１３ｃ、ＩＰ（Internet Protocol ）−ｖｅｒｓｉｏｎ決定部１３ｄ、ＱＣＩ決定部１３ｅ、ＥＢＩ（EPS Bearer Identifier ）／ＮＳＡＰＩ（Network Service Access Point Identifier ）決定部１３ｆ、Ｌｉｎｋｅｄ−ＥＢＩ／Ｌｉｎｋｅｄ−ＮＳＡＰＩ決定部１３ｇ、ＵＥ−Ａｄｄｒｅｓｓ決定部１３ｈ、ＤＮＳ（Domain Name System）−Ａｄｄｒｅｓｓ決定部１３ｉ、Ａｃｃｅｓｓ−Ｐｏｉｎｔ−Ｎａｍｅ決定部１３ｊからなる。
【００３３】
Ｐｒｉｏｒｉｔｙ決定部１３ａは、試験装置１の内部において、ＰＤＮ（Packet Data Network ）やＰＤＰ（Packet Data Protocol）を区別するための番号であるＰｒｉｏｒｉｔｙを決定している。このＰｒｉｏｒｉｔｙは、端末１１が発信する場合、端末１１からの発信を受けて、試験装置１が自動的に付加する。また、試験装置１が発信する場合には、試験者が操作部２を操作して事前に設定する。
【００３４】
なお、ＰＤＮやＰＤＰは、パケットデータ通信網を介しての端末（以下、ＵＥとも言う）１１と仮想接続先１２との間のサービス毎のパケットデータ通信による論理的な接続であり、ＬＴＥではＰＤＮと呼称し、ＧＳＭ／Ｗ−ＣＤＭＡではＰＤＰと呼称する。
【００３５】
また、マルチＰＤＰ（マルチＰＤＮ）は、ＰＤＰ（ＰＤＮ）が複数である、つまり多重接続であることを意味しており、大きく分けて、以下に示す（イ），（ロ）の２種類があり、混在する場合も有る。
【００３６】
（イ）全く別のサービスによるＰＤＰが多重されている。この場合、各通信先はそれぞれ別のＩＰアドレスになり、ＵＥは異なるＩＰアドレスの通信先と多重接続することになる。それぞれのＰＤＰ−Ｔｙｐｅは、Ｐｒｉｍａｒｙ（ＬＴＥでは、Ｄｅｆａｕｌｔ）になる。なお、通信先だけでなく、１つのＵＥが複数のＩＰアドレスで複数の通信を行う場合もある。この場合も、マルチＰＤＰとなる。
【００３７】
（ロ）互いに関連するサービスによるＰＤＰが多重されている。例えば、ＶｏＩＰ（Voice over Internet Protocol）で音声データを通信する場合、ＵＥはＳＩＰ（Session Intiation Protocol）サーバと制御情報（ログインや着信通知など）をやりとりするとともに、音声データをやりとりする。この場合、制御情報と音声データとは別のＰＤＰになり、マルチＰＤＰとなる。ここで、それぞれのＰＤＰ−Ｔｙｐｅは、制御情報がＰｒｉｍａｒｙ（ＬＴＥでは、Ｄｅｆａｕｌｔ）になり、音声データがＳｅｃｏｎｄａｒｙ（ＬＴＥでは、Ｄｅｄｉｃａｔｅｄ）になる。
【００３８】
なお、ＶｏＩＰは、音声を各種符号化方式で圧縮しパケットに変換した上でＩＰネットワークでリアルタイム伝送する技術である。ＬＴＥは、パケット交換通信方式なので、ＶｏＩＰにより通話を行う。
【００３９】
また、ＳＩＰは、例えば電話やテレビ電話のような双方向のリアルタイム通信において、セッションの開始、変更、終了などの操作を行うためのセッション制御プロトコルである。ＶｏＩＰに用いられているＳＩＰサーバは、ＵＥ間の通信の仲介を行う。
【００４０】
Ｓｔａｔｕｓ決定部１３ｂは、接続状態を表すＳｔａｔｕｓを決定している。後述する多重通信関連表示部６ｃでは、Ｓｔａｔｕｓ決定部１３ｂで決定されたＳｔａｔｕｓに基づく表示制御部５の制御により、接続状態（ＰＤＮやＰＤＰが登録されている状態）と切断状態（ＰＤＮやＰＤＰが未登録である状態）の２つの状態が、図３に示すように、それぞれ対応したアイコンにより区別して表示される。この表示は、試験装置１が状態を判断して自動的に切り替えが行われる。
【００４１】
ここで、接続状態とはＩＰアドレスが割り振られている状態であり、切断状態はＩＰアドレスが割り振られていない状態である。単に通信していないからという切断状態ではない。なお、実際の動作においても、通信中にトンネルに入って瞬間的に無線通信が切断されてもＰＤＰ登録は維持され、無線通信が復旧したら通信が再開される。自発的な切断処理や、長時間のタイムアウトにより切断状態となることはある。
【００４２】
ＰＤＮ／ＰＤＰ−Ｔｙｐｅ決定部１３ｃは、ＰＤＮの種別を表すＰＤＮ−ＴｙｐｅやＰＤＰの種別を表すＰＤＰ−Ｔｙｐｅを決定している。
【００４３】
ＰＤＮ−Ｔｙｐｅは、ＤｅｆａｕｌｔとＤｅｄｉｃａｔｅｄとの２種類があり、ＰＤＰ−Ｔｙｐｅは、ＰｒｉｍａｒｙとＳｅｃｏｎｄａｒｙとの２種類がある。
【００４４】
さらにＰＤＰ−Ｔｙｐｅを例にとって説明すると、Ｐｒｉｍａｒｙは、ＩＰアドレスを持つＰＤＰであり、いわば親のＰＤＰである。ＰｒｉｍａｒｙのＰＤＰは複数存在できる。
【００４５】
また、Ｓｅｃｏｎｄａｒｙは、ＩＰアドレスを持たないＰＤＰであり、いわば子のＰＤＰである。ＰｒｉｍａｒｙのＰＤＰは、単独で存在できるのに対し、ＳｅｃｏｎｄａｒｙのＰＤＰは、ＰｒｉｍａｒｙのＰＤＰに従属する関係になる。１つのＰｒｉｍａｒｙのＰＤＰに、複数のＳｅｃｏｎｄａｒｙのＰＤＰが従属することができる。なお、ＰＤＮ−Ｔｙｐｅでは、ＤｅｆａｕｌｔがＰｒｉｍａｒｙに相当し、ＤｅｄｉｃａｔｅｄがＳｅｃｏｎｄａｒｙに相当する。
【００４６】
ＰＤＮ／ＰＤＰ−Ｔｙｐｅ決定部１３ｃは、通信規格がＬＴＥかＧＳＭ／Ｗ−ＣＤＭＡかによってＰＤＮ−ＴｙｐｅやＰＤＰ−Ｔｙｐｅの値の決定方法が異なる。
【００４７】
すなわち、ＰＤＮ／ＰＤＰ−Ｔｙｐｅ決定部１３ｃは、通信規格がＬＴＥであって、端末１１が発信する場合は、端末１１がＰＤＮ−Ｔｙｐｅを決定して通知してくるので、その情報を表示制御部５に出力する。また、ＰＤＮ／ＰＤＰ−Ｔｙｐｅ決定部１３ｃは、通信規格がＬＴＥであって、試験装置１が発信する場合は、試験者が操作部２を操作してＰＤＮ−Ｔｙｐｅを事前に設定する。なお、ＰＤＮ−Ｔｙｐｅは、試験装置１が自動設定することも可能である。
【００４８】
ＰＤＮ／ＰＤＰ−Ｔｙｐｅ決定部１３ｃは、通信規格がＧＳＭ／Ｗ−ＣＤＭＡであって、端末１１が発信する場合は、端末１１がＰＤＰ−Ｔｙｐｅを決定して通知してくるので、その情報を表示制御部５に出力する。また、ＰＤＮ／ＰＤＰ−Ｔｙｐｅ決定部１３ｃは、通信規格がＧＳＭ／Ｗ−ＣＤＭＡであって、試験装置１が発信する場合は、試験装置１からＡｃｃｅｓｓ−Ｐｏｉｎｔ−Ｎａｍｅの通知に対応して、端末１１がＰＤＰ−ＴｙｐｅとＮＳＡＰＩを通知してくるので、その情報に基づいて決定する。
【００４９】
そして、後述する多重通信関連表示部６ｄでは、ＰＤＮ／ＰＤＰ−Ｔｙｐｅ決定部１３ｃが決定したＰＤＮ−ＴｙｐｅやＰＤＰ−Ｔｙｐｅに基づく表示制御部５の制御により、例えば図３に示す表示形態でＤｅｆａｕｌｔ（Ｐｒｉｍａｒｙ）とＤｅｄｉｃａｔｅｄ（Ｓｅｃｏｎｄａｒｙ）のいずれかを表示する。
【００５０】
ＩＰ−ｖｅｒｓｉｏｎ決定部１３ｄは、ＩＰの種別を表すＩＰ−ｖｅｒｓｉｏｎを決定している。さらに説明すると、ＩＰ−ｖｅｒｓｉｏｎ決定部１３ｄは、端末１１が発信する場合、端末１１がＩＰ−ｖｅｒｓｉｏｎを決定して通知してくるので、その情報を表示制御部５に出力する。これに対し、試験装置１が発信する場合は、試験者が操作部２を操作してＩＰ−ｖｅｒｓｉｏｎを事前に設定する。なお、試験装置１がＩＰ−ｖｅｒｓｉｏｎを自動設定することも可能である。
【００５１】
そして、後述する多重通信関連表示部６ｄでは、ＩＰ−ｖｅｒｓｉｏｎ決定部１３ｄが決定したＩＰ−ｖｅｒｓｉｏｎに基づく表示制御部５の制御により、例えば図３に示す表示形態でＩＰｖ４，ＩＰｖ６，ＩＰｖ４ｖ６のいずれかを表示する。
【００５２】
なお、ＩＰｖ４ｖ６はデュアルスタックの意味である。デュアルスタックとは、ＩＰｖ４とＩＰｖ６とを共存させて用いる技術であり、１台の試験装置１がＩＰｖ４とＩＰｖ６のアドレスをそれぞれ持って両プロトコルを混在させることができる。
【００５３】
ＱＣＩ決定部１３ｅは、サービス内容と対応付けされたサービスのクラスを示す識別符号であるＱＣＩを決定している。このＱＣＩは、試験装置１の擬似基地局制御部４が決定する。従って、端末１１が発信する場合でも試験装置１が発信する場合でも、試験者が操作部２を操作して事前に設定する。なお、試験装置１がＱＣＩを自動設定することも可能である。
【００５４】
ＥＢＩ／ＮＳＡＰＩ決定部１３ｆは、ＰＤＮやＰＤＰに割り振られるＩＤで、ＰＤＮを識別する基本情報であるＥＢＩやＰＤＰを識別する基本情報であるＮＳＡＰＩを決定している。ＥＢＩ／ＮＳＡＰＩは、ＬＴＥではＥＢＩと呼称し、ＧＳＭ／Ｗ−ＣＤＭＡではＮＳＡＰＩと呼称する。
【００５５】
ＥＢＩ／ＮＳＡＰＩ決定部１３ｆは、通信規格がＬＴＥかＧＳＭ／Ｗ−ＣＤＭＡかによって値の決定方法が異なる。
【００５６】
すなわち、ＥＢＩ／ＮＳＡＰＩ決定部１３ｆは、通信規格がＬＴＥであって、端末１１が発信する場合は、端末１１がＥＢＩを決定して通知してくるので、その情報を表示制御部５に出力する。図２（ａ）の例では、通信規格ＬＴＥにおいて、端末１１がＰＤＮ１（Ｄｅｆａｕｌｔ）のＥＢＩ「５」、ＰＤＮ２（Ｄｅｄｉｃａｔｅｄ）のＥＢＩ「６」を通知してくるので、これらの情報を表示制御部５に出力する。また、ＥＢＩ／ＮＳＡＰＩ決定部１３ｆは、通信規格がＬＴＥであって、試験装置１が発信する場合は、試験者が操作部２を操作して事前にＥＢＩを設定する。なお、試験装置１がＥＢＩを自動設定することも可能である。
【００５７】
これに対し、ＥＢＩ／ＮＳＡＰＩ決定部１３ｆは、通信規格がＧＳＭ／Ｗ−ＣＤＭＡであって、端末１１が発信する場合は、端末１１がＮＳＡＰＩを決定して通知してくるので、その情報を表示制御部５に出力する。図２（ｂ）の例では、通信規格ＧＳＭ／Ｗ−ＣＤＭＡにおいて、端末１１がＰＤＮ１（Ｐｒｉｍａｒｙ）のＮＳＡＰＩ「５」、ＰＤＮ２（Ｓｅｃｏｎｄａｒｙ）のＮＳＡＰＩ「６」を通知してくるので、これらの情報を表示制御部５に出力する。また、ＥＢＩ／ＮＳＡＰＩ決定部１３ｆは、通信規格がＧＳＭ／Ｗ−ＣＤＭＡであって、試験装置１が発信する場合は、試験者が操作部２を操作して事前にＮＳＡＰＩを設定する。なお、試験装置１がＮＳＡＰＩを自動設定することも可能である。
【００５８】
Ｌｉｎｋｅｄ−ＥＢＩ／Ｌｉｎｋｅｄ−ＮＳＡＰＩ決定部１３ｇは、操作部２の操作による設定情報や端末１１からのサービス毎のパケットに含まれる情報（通知情報）に基づいてＬｉｎｋｅｄ−ＥＢＩ／Ｌｉｎｋｅｄ−ＮＳＡＰＩを決定している。Ｌｉｎｋｅｄ−ＥＢＩ／Ｌｉｎｋｅｄ−ＮＳＡＰＩは、ＳｅｃｏｎｄａｒｙのＰＤＰ（ＤｅｄｉｃａｔｅｄのＰＤＮ）のみに割り振られ、どのＰｒｉｍａｒｙのＰＤＰ（ＤｅｆａｕｌｔのＰＤＮ）に所属するかの従属関係を示す従属関係識別情報である。
【００５９】
Ｌｉｎｋｅｄ−ＥＢＩ／Ｌｉｎｋｅｄ−ＮＳＡＰＩ決定部１３ｇは、通信規格がＬＴＥかＧＳＭ／Ｗ−ＣＤＭＡかによってＬｉｎｋｅｄ−ＥＢＩ／Ｌｉｎｋｅｄ−ＮＳＡＰＩの値の決定方法が異なる。
【００６０】
さらに説明すると、Ｌｉｎｋｅｄ−ＥＢＩ／Ｌｉｎｋｅｄ−ＮＳＡＰＩ決定部１３ｇは、通信規格がＬＴＥであって、端末１１が発信する場合は、端末１１がＬｉｎｋｅｄ−ＥＢＩを決定して通知してくるので、その情報を表示制御部５に出力する。図２（ａ）の例では、通信規格ＬＴＥにおいて、端末１１がＰＤＮ２（Ｄｅｄｉｃａｔｅｄ）のＬｉｎｋｅｄ−ＥＢＩ「５」を通知してくるので、このＬｉｎｋｅｄ−ＥＢＩ「５」を表示制御部５に出力する。また、通信規格がＬＴＥであって、試験装置１が発信する場合は、試験者が操作部２を操作してＬｉｎｋｅｄ−ＥＢＩを事前に設定する。なお、試験装置１がＬｉｎｋｅｄ−ＥＢＩを自動設定することも可能である。
【００６１】
これに対し、通信規格がＧＳＭ／Ｗ−ＣＤＭＡであって、端末１１が発信する場合は、先に、ＰｒｉｍａｒｙのＰＤＰを設定するための通知があり、その中にＮＳＡＰＩとＴＩ（Transaction Identifier：処理（処理群）を識別するための識別子）の値が含まれている。次に、ＳｅｃｏｎｄａｒｙのＰＤＰを設定するための通知があり、その中にＬｉｎｋｅｄ−ＴＩの値が含まれている。ここで、ＰｒｉｍａｒｙのＰＤＰ１のＴＩの値とＳｅｃｏｎｄａｒｙのＰＤＰ２のＬｉｎｋｅｄ−ＴＩの値とが同じときは両者が親子関係にある。これを利用して、Ｌｉｎｋｅｄ−ＥＢＩ／Ｌｉｎｋｅｄ−ＮＳＡＰＩ決定部１３ｇは、端末１１から通知されたＳｅｃｏｎｄａｒｙのＰＤＰがどのＰｒｉｍａｒｙのＰＤＰに従属するかを判断し、従属元のＰｒｉｍａｒｙのＰＤＰのＮＳＡＰＩの値を従属先のＳｅｃｏｎｄａｒｙのＰＤＰのＬｉｎｋｅｄ−ＴＩの値として決定する。図２（ｂ）の例では、通信規格ＧＳＭ／Ｗ−ＣＤＭＡにおいて、ＰｒｉｍａｒｙのＰＤＰ１のＴＩの値とＳｅｃｏｎｄａｒｙのＰＤＰ２のＬｉｎｋｅｄ−ＴＩの値がともに「０」で同じ値なので、ＰｒｉｍａｒｙのＰＤＰ１とＳｅｃｏｎｄａｒｙのＰＤＰ２とが親子関係にあると判断し、従属元のＰｒｉｍａｒｙのＰＤＰ１のＮＳＡＰＩの値「５」を従属先のＳｅｃｏｎｄａｒｙのＰＤＰ２のＬｉｎｋｅｄ−ＮＳＡＰＩの値「５」として決定する。
【００６２】
また、通信規格がＧＳＭ／Ｗ−ＣＤＭＡであって、試験装置１が発信する場合は、試験者が操作部２を操作して事前にＬｉｎｋｅｄ−ＮＳＡＰＩを設定する。なお、試験装置１がＬｉｎｋｅｄ−ＮＳＡＰＩを自動設定することも可能である。
【００６３】
なお、本例では、通信規格ＧＳＭ／Ｗ−ＣＤＭＡにおいて、通信規格ＬＴＥのＬｉｎｋｅｄ−ＥＢＩに対応するものをＬｉｎｋｅｄ−ＮＳＡＰＩと呼称している。
【００６４】
そして、後述する多重通信関連表示部６ｄでは、Ｌｉｎｋｅｄ−ＥＢＩ／Ｌｉｎｋｅｄ−ＮＳＡＰＩ決定部１３ｇで決定されたＬｉｎｋｅｄ−ＥＢＩやＬｉｎｋｅｄ−ＮＳＡＰＩによる表示制御部５の制御により、例えば図３に示す表示形態で従属元のＥＢＩやＮＳＡＰＩの値が表示される。
【００６５】
ＵＥ−Ａｄｄｒｅｓｓ決定部１３ｈは、試験対象の端末１１のＩＰアドレスであるＵＥ−Ａｄｄｒｅｓｓを決定している。この端末１１のＩＰアドレスは、試験装置１の擬似基地局制御部４が決定する。従って、端末１１が発信する場合でも試験装置１が発信する場合でも、試験者が操作部２を操作して事前に設定する。なお、試験装置１が端末１１のＩＰアドレスを自動設定することも可能である。
【００６６】
ＤＮＳ−Ａｄｄｒｅｓｓ決定部１３ｉは、ＤＮＳサーバのアドレスであるＤＮＳ−Ａｄｄｒｅｓｓを決定している。このＤＮＳ−Ａｄｄｒｅｓｓは、試験者が操作部２を操作して事前に設定する。なお、ＤＮＳ−Ａｄｄｒｅｓｓは、試験装置１が自動設定することも可能である。
【００６７】
ＤＮＳサーバは、ドメイン名とＩＰアドレスとの対応づけを管理するサーバである。試験装置１は、内部に擬似ネットワーク機能を有しており、ＤＮＳサーバも擬似する。ＤＮＳ−ＡｄｄｒｅｓｓのＰｒｉｍａｒｙ／Ｓｅｃｏｎｄａｒｙは、主系統と副系統の意味である（ＤＮＳサーバは通常２系統以上用意することになっている）。
【００６８】
そして、後述する多重通信関連表示部６ｄでは、ＤＮＳ−Ａｄｄｒｅｓｓ決定部１３ｉで決定されたＤＮＳ−Ａｄｄｒｅｓｓによる表示制御部５の制御により、例えば図３に示す表示形態でＤＮＳサーバのアドレスが表示される。
【００６９】
Ａｃｃｅｓｓ−Ｐｏｉｎｔ−Ｎａｍｅ決定部１３ｊは、通信事業者のドメイン名であるＡｃｃｅｓｓ−Ｐｏｉｎｔ−Ｎａｍｅを決定している。携帯電話のように特定の通信事業者と契約して通信を行う端末１１は、その通信事業者のＡｃｃｅｓｓ−Ｐｏｉｎｔを介して通信を行う。試験装置１は、内部に擬似ネットワーク機能を有しており、通信事業者のドメインも模擬する。
【００７０】
Ａｃｃｅｓｓ−Ｐｏｉｎｔ−Ｎａｍｅ決定部１３ｊは、端末１１が発信する場合、端末１１がＡｃｃｅｓｓ−Ｐｏｉｎｔ−Ｎａｍｅを決定して通知してくるので、その情報を表示制御部５に出力する。また、Ａｃｃｅｓｓ−Ｐｏｉｎｔ−Ｎａｍｅ決定部１３ｊは、試験装置１が発信する場合、試験者が操作部２を操作して事前にＡｃｃｅｓｓ−Ｐｏｉｎｔ−Ｎａｍｅを設定する。
【００７１】
なお、試験装置１がＡｃｃｅｓｓ−Ｐｏｉｎｔ−Ｎａｍｅを自動設定することも可能である。実際には、端末開発者である試験者は、端末１１がどのようなＡｃｃｅｓｓ−Ｐｏｉｎｔ−Ｎａｍｅを通知してくるか知っているので、そのＡｃｃｅｓｓ−Ｐｏｉｎｔ−Ｎａｍｅを試験装置１に設定しておく。
【００７２】
表示制御部５は、設定情報に基づく擬似基地局制御部４からの制御信号により、例えば図３に示す表示形態で所望の表示を行うべく表示部６を制御している。
【００７３】
表示部６は、液晶パネルなどの表示器で構成され、前述した特許文献１に開示されるシーケンス表示部６ａ、接続状態表示部６ｂ、接続先表示部６ｃに加え、多重通信関連表示部６ｄを有している。
【００７４】
シーケンス表示部６ａは、試験装置１を介しての端末１１と仮想接続先１２との間のサービス毎のパケットデータ通信に関して、端末１１と仮想接続先１２との間の通信手順及び通信の遷移状態を示す複数のシーケンスを表示している。
【００７５】
具体的に、シーケンス表示部６ａは、図３に示すように、端末１１の電源ＯＦＦ状態を示す「Ｐｏｗｅｒ  Ｏｆｆ（電源ＯＦＦ）」シーケンス、端末１１の位置登録解除状態を示す「Ｄｅｔａｃｈ（位置登録解除）」シーケンス、端末１１の位置登録状態を示す「（Ｒｅｇｉｓｔｒａｔｉｏｎ（位置登録）」シーケンス、端末１１の待ち受け状態を示す「Ｉｄｌｅ（待ち受け状態）」シーケンス、端末１１の発信状態を示す「Ｏｒｉｇｉｎａｔｉｏｎ（発信）」シーケンス、端末１１の着信状態を示す「Ｔｅｒｍｉｎａｔｉｏｎ（着信）」シーケンス、端末１１の通信状態を示す「Ｃｏｍｍｕｎｉｃａｔｉｏｎ（通信状態）」シーケンス、端末１１からの切断状態を示す「ＵＥ（user equipment）  Ｒｅｌｅａｓｅ（端末切断）」シーケンス、仮想接続先１２からの切断状態を示す「ＮＷ（network ）  Ｒｅｌｅａｓｅ（接続先切断）」シーケンスを複数のシーケンスとして表示している。
【００７６】
これら一連のシーケンスは、表示制御部５の制御により、各シーケンス間で各通信手順及び通信状態の遷移方向を示す矢印を伴ってフローチャート状に表示される。その際、遷移状態に応じて表示状態が変化する。すなわち、該当するシーケンスが遷移状態となったときに、それまでの表示状態とは異なる表示状態、例えば表示色を変えたり、表示輝度を変えて該当するシーケンスを表示する。
【００７７】
なお、図３において、シーケンス表示部６ａにおける各シーケンス間の矢印は、各通信手順及び通信状態の遷移方向を示している。
【００７８】
接続状態表示部６ｂは、端末１１と試験装置１を介した仮想接続先１２（仮想通話先１２ａ、仮想サーバ１２ｂ、仮想ＴＶ電話１２ｃ）との接続状態を表示している。
【００７９】
さらに説明すると、接続状態表示部６ｂは、表示制御部５の制御により、端末１１、擬似基地局制御部４、仮想接続先１２（仮想通話先１２ａ、仮想サーバ１２ｂ、仮想ＴＶ電話１２ｃ）をそれぞれ図形化したアイコンとして表示するとともに、接続の有無に応じて表示状態を変化させ、擬似基地局制御部４に対する端末１１、仮想接続先１２（仮想通話先１２ａ、仮想サーバ１２ｂ、仮想ＴＶ電話１２ｃ）それぞれの間の複数の接続線を図形化して表示する。すなわち、接続の有無に応じて該当する接続線の表示色を変えたり、表示輝度を変えて表示する。
【００８０】
接続先表示部６ｃは、端末１１が擬似基地局制御部４を介して接続される一つの仮想接続先１２（仮想通話先１２ａ、仮想サーバ１２ｂ、仮想ＴＶ電話１２ｃの何れか）を図形化して表示している。
【００８１】
なお、上述したシーケンス表示部６ａ、接続状態表示部６ｂ、接続先表示部６ｄの詳細な説明については、特許文献１を参照されたい。
【００８２】
多重通信関連表示部６ｄは、端末１１が多重通信を行ったときに、擬似基地局制御部４を介しての表示制御部５の制御により、多重通信の設定内容や試験中の多重通信の状態を把握するべく表示情報決定部１３で決定された多重通信関連情報として、前述したＰｒｉｏｒｉｔｙ、Ｓｔａｔｕｓ、ＰＤＮ／ＰＤＰ−Ｔｙｐｅ、ＩＰ−ｖｅｒｓｉｏｎ、ＱＣＩ、ＥＢＩ／ＮＳＡＰＩ、Ｌｉｎｋｅｄ−ＥＢＩ／Ｌｉｎｋｅｄ−ＮＳＡＰＩ、ＵＥ−Ａｄｄｒｅｓｓ、ＤＮＳ−Ａｄｄｒｅｓｓ、Ａｃｃｅｓｓ−Ｐｏｉｎｔ−Ｎａｍｅを例えば図３に示す表示形態の一覧表形式で表示している。
【００８３】
次に、上記のように構成される試験装置１の表示処理動作について図４〜図６のフローチャートを参照しながら説明する。まずは、試験装置１が発信する場合の表示処理手順について図４のフローチャートを参照しながら説明する。
【００８４】
試験装置１は、擬似基地局制御部４の制御により、送受信部３から端末１１にパケットを発信すると（ＳＴ１）、表示部６に表示する情報のうち、操作部２の操作入力により試験装置１に予め設定されている情報を擬似基地局制御部４を介して表示制御部５が取得する（ＳＴ２）。続いて、試験装置１は、端末１１が応答して発信したパケットを送受信部３で受信する（ＳＴ３）。その後、試験装置１は、表示部６に表示する情報のうち、端末１１からのパケットに含まれる情報を擬似基地局制御部４を介して表示制御部５が取得する（ＳＴ４）。次に、試験装置１は、表示部６に表示する情報のうち、端末１１からのパケットに含まれる情報に基づいて表示情報決定部１３が決定した情報を擬似基地局制御部４を介して表示制御部５が取得する（ＳＴ５）。そして、表示部６は、表示制御部５が取得した情報を例えば図３に示す表示形態で表示する（ＳＴ６）。
【００８５】
次に、端末１１が発信する場合の表示処理手順について図５のフローチャートを参照しながら説明する。
【００８６】
試験装置１は、擬似基地局制御部４の制御により、端末１１が発信したパケットを送受信部３で受信すると（ＳＴ１１）、表示部６に表示する情報のうち、端末１１からのパケットに含まれる情報を擬似基地局制御部４を介して表示制御部５が取得する（ＳＴ１２）。続いて、試験装置１は、表示部６に表示する情報のうち、試験装置１に予め設定されている情報を擬似基地局制御部４を介して表示制御部５が取得する（ＳＴ１３）。次に、試験装置１は、表示部６に表示する情報のうち、端末１１からのパケットに含まれる情報に基づいて表示情報決定部１３が決定した情報を擬似基地局制御部４を介して表示制御部５が取得する（ＳＴ１４）。そして、表示部６は、表示制御部５が取得した情報を例えば図３に示す表示形態で表示する（ＳＴ１５）。
【００８７】
次に、端末１１が発信する場合のＬｉｎｋｅｄ−ＮＳＡＰＩの決定手順（従属関係を直接示す情報が無い場合）について図６のフローチャートを参照しながら説明する。
【００８８】
試験装置１は、擬似基地局制御部４の制御により、端末１１が発信したＰｒｉｍａｒｙのＰＤＰのパケットを送受信部３で受信すると（ＳＴ２１）、表示情報決定部１３のＬｉｎｋｅｄ−ＥＢＩ／Ｌｉｎｋｅｄ−ＮＳＡＰＩ決定部１３ｇが受信パケットからＮＳＡＰＩとＴＩの値を取得する（ＳＴ２２）。続いて、試験装置１は、端末１１が発信したＳｅｃｏｎｄａｒｙのＰＤＰのパケットを送受信部３で受信すると（ＳＴ２３）、表示情報決定部１３のＬｉｎｋｅｄ−ＥＢＩ／Ｌｉｎｋｅｄ−ＮＳＡＰＩ決定部１３ｇが受信パケットからＮＳＡＰＩとＴＩの値を取得する（ＳＴ２４）。そして、表示情報決定部１３のＬｉｎｋｅｄ−ＥＢＩ／Ｌｉｎｋｅｄ−ＮＳＡＰＩ決定部１３ｇは、Ｌｉｎｋｅｄ−ＴＩの値と同じＴＩの値を持つＰｒｉｍａｒｙのＰＤＰを探し、そのＰＤＰのＮＳＡＰＩの値を、当該ＳｅｃｏｎｄａｒｙのＰＤＰのＬｉｎｋｅｄ−ＮＳＡＰＩの値として決定する（ＳＴ２５）。そして、表示情報決定部１３のＬｉｎｋｅｄ−ＥＢＩ／Ｌｉｎｋｅｄ−ＮＳＡＰＩ決定部１３ｇは、決定したＬｉｎｋｅｄ−ＮＳＡＰＩの値を表示制御部５へ送出する（ＳＴ２６）。
【００８９】
なお、本例の試験装置１による表示処理動作は上述した図４〜図６に示すフローチャートの処理手順に限定されるものではなく、その順序が入れ替わったり、手順の一部が省略される場合もある。
【００９０】
このように、本発明に係る試験装置及び試験方法によれば、設定したＰＤＰやＰＤＮの情報とその状態を一覧表示するための多重通信関連表示部６ｄを新たに設けたので、多重通信の設定内容や試験中の多重通信の状態を目視により把握することができる。しかも、多重通信の従属関係を示す情報も合わせて表示するので、多重通信の設定内容や試験中の多重通信の状態を把握でき、端末の多重通信の試験を容易に行うことができる。
【００９１】
また、本発明に係る試験装置及び試験方法では、例えばＧＳＭやＷ−ＣＤＭＡのように多重通信の従属関係を直接示す情報が無い場合であっても、設定情報や端末からの通知情報により多重通信の従属関係を判断して試験者に識別可能に多重通信関連表示部６ｄに表示している。これにより、試験者は、多重通信の従属関係を認識した上で端末の多重通信の試験を容易に行うことができる。
【００９２】
ところで、上述した実施の形態では、通信規格ＧＳＭ／Ｗ−ＣＤＭＡ、ＬＴＥによる多重通信の例について説明したが、上記通信規格のみに限定されるものではない。例えばＣＤＭＡ２０００、ＴＤ−ＳＣＤＭＡ、ＷｉＭＡＸ、Ｗｉ−Ｆｉなどの他の通信規格にも本発明の構成及び方法を採用することが可能である。
【符号の説明】
【００９３】
１  試験装置
２  操作部
３  送受信部
４  擬似基地局制御部
５  表示制御部
６  表示部
６ａ  シーケンス表示部
６ｂ  接続状態表示部
６ｃ  接続先表示部
６ｄ  多重通信関連表示部
１１  端末（移動体通信端末）
１２  仮想接続先
１３  表示情報決定部
【図１】
0005290359.tif 000002
【図２】
0005290359.tif 000003
【図３】
0005290359.tif 000004
【図４】
0005290359.tif 000005
【図５】
0005290359.tif 000006
【図６】
0005290359.tif 000007